(57)【要約】【課題】コードボックスを備えることにより製品寸法が大きくなる要因となっていた。【解決手段】上記課題を解決するために本発明は、プーリーはシャーシ下方焼成庫直下に位置し、シャーシとプーリーとの間にコードボックスを設けるものである。上記構成により、デッドスペースであった空間に効果的にコードボックスを構成することとなりコンパクトな製品を提供することができる。【選択図】図１
2005103181.tif 000002
【特許請求の範囲】
【請求項１】
自動製パン機の本体を構成するボデーと、ボデー内に備えられた焼成庫と、前記焼成庫内に備えられ回転運動によりパン材料の混錬をおこなう羽根を有したパンケースと、前記焼成庫を上側に載置し、前記羽根の回転動力であるモーターを下方に取り付けたシャーシと、前記モーターの動力を羽根に伝えるプーリーと、電源コードを収容するコードボックスを備え、プーリーはシャーシ下方焼成庫直下に位置し、シャーシとプーリーとの間に前記コードボックスを設けた自動製パン機。
【請求項２】
自動製パン機の本体を構成する略容器形状のボデーと、上部にリブを設けたコードボックスを備え、ボデー側面にボデー底面へと続く開口部を設け、前記開口部の上端部を前記コードボックスのリブで挟持するとともに下方からボデーとコードボックスを締結した自動製パン機。
【請求項３】
ボデーの側面開口部の端部をボデー外面に対し内側に入れた請求項２に記載の自動製パン機。
【請求項４】
電源コードをボデー側面に対し略法線方向になるようコードボックスに取り付けた請求項２に記載の自動製パン機。
【発明の詳細な説明】
【技術分野】
【０００１】
本発明は、一般家庭にて使用する自動製パン機に関するものである。
【背景技術】
【０００２】
従来、この種の自動製パン機は図３に示すように、ボデー１０１の側面に設けた開口部１０２にコードボックス１０３を外面側からはめ込みコードボックスのツメ１０４で係合固定するように構成されている。
【特許文献１】特開平９−１１７３７５号公報
【発明の開示】
【発明が解決しようとする課題】
【０００３】
しかしながら上記従来の構成では、コードボックスを設けるため製品全体の寸法を大きくし機器が大きくなりコンパクト性を損なう要因となっていた。また、ツメによる係合固定のため取り付けに力が必要となり組み立てにくいという課題を有してした。
【０００４】
本発明は、前記従来の課題を解決するもので、コンパクト性を損なうことなく強固に、かつ組み立て易く機器にコードボックスを構成した自動製パン機を提供することを目的とする。
【課題を解決するための手段】
【０００５】
前記従来の課題を解決するために、本発明の自動製パン機は、プーリーをシャーシ下方焼成庫直下に位置し、シャーシとプーリーとの間に前記コードボックスを設けた構成としたものである。
【０００６】
これによって、従来デッドスペースであった空間に効果的にコードボックスを構成することができるものである。
【０００７】
また、本発明の自動製パン機は、ボデー側面にボデー底面へと続く開口部を設け、開口部の上端部をコードボックスのリブで挟持するとともに下方からボデーとコードボックスを締結したものである。
【０００８】
これによって、強固に、かつ組み立て易く機器にコードボックスを構成することができる。
【発明の効果】
【０００９】
本発明の自動製パン機は、デッドスペースであった空間に効果的にコードボックスを構成することができコンパクトな機器を実現することが可能となる。
【発明を実施するための最良の形態】
【００１０】
第１の発明は、自動製パン機の本体を構成するボデーと、ボデー内に備えられた焼成庫と、前記焼成庫内に備えられ回転運動によりパン材料の混錬をおこなう羽根を有したパンケースと、前記焼成庫を上側に載置し、前記羽根の回転動力であるモーターを下方に取り付けたシャーシと、前記モーターの動力を羽根に伝えるプーリーと、電源コードを収容するコードボックスを備え、プーリーはシャーシ下方焼成庫直下に位置し、シャーシとプーリーとの間に前記コードボックスを設けることにより、デッドスペースであった空間に効果的にコードボックスを構成することとなりコンパクトな機器を実現することができる。
【００１１】
第２の発明は、自動製パン機の本体を構成する略容器形状のボデーと、上部にリブを設けたコードボックスを備え、ボデー側面にボデー底面へと続く開口部を設け、前記開口部の上端部を前記コードボックスのリブで挟持するとともに下方からボデーとコードボックスを締結したことにより、コードボックスとボデーを強固に締結することとなり堅牢な機器を実現することができる。
【００１２】
第３の発明は、特に、第２の発明の自動製パン機をボデーの側面開口部の端部をボデー外面に対し内側に入れたことにより、ボデー外面とコードボックス外面を同一面にすることができ美しい外観品位を得られることができる。
【００１３】
第４の発明は、特に、第２の発明の自動製パン機を電源コードをボデー側面に対し略法線方向になるようコードボックスに取り付けることにより、使用者がコードを引っぱる方向をボデー開口部の上端部を前記コードボックスのリブで挟持しコードボックスがボデーから外れにくい方向に合わせることができコードボックスがボデーから外れてしまうことを防ぐことができる。
【００１４】
以下、本発明の実施の形態について、図面を参照しながら説明する。なお、この実施の形態によって本発明が限定されるものではない。
【００１５】
（実施の形態）
図１から図２は、本発明の第１の実施の形態における自動製パン機のを示すものである。
【００１６】
図１から図２において、１は自動製パン機の本体を構成するボデーである。２はボデー１内に備えられた焼成庫である。焼成庫内２には回転運動によりパン材料の混錬をおこなう羽根３を有したパンケース４を備えている。シャーシ５は焼成庫２を上側に載置し、羽根３の回転動力であるモーター６を下方に取り付けている。モーター６の動力は小プーリー７と大プーリー８を介して動力を羽根３に伝えている。大プーリー８はシャーシ５下方、焼成庫直下に位置し、電源コード９を収容するコードボックス１０はシャーシ５と大プーリー８との間に設けている。ボデー１は略容器形状をしており、コードボックス１０の上部にリブ１１を設け、ボデー１の側面には底面へと続く開口部１２を設け、開口部１２の上端部１３をコードボックス１０のリブ１１で挟持するとともに下方からボデー１とコードボックス１０をねじ１４で締結している。また、ボデー１の側面開口部１２の端部１５をボデー外面に対し一段内側に入れている。電源コード９はボデー側面に対し法線方向になるようコードボックスに取り付けられている。
【００１７】
以上のように構成された自動製パン機について、以下その動作、作用を説明する。
【００１８】
まず、大プーリー８はシャーシ５下方、焼成庫２直下に位置し、シャーシ５と大プーリー８との間にコードボックス１０を設けることにより、デッドスペースであった空間に効果的にコードボックス１０を構成することとなりコンパクトな機器を実現することができる。
【００１９】
また、ボデー１側面にボデー１底面へと続く開口部１２を設け、開口部１２の上端部１３をコードボックス１０のリブ１１で挟持するとともに下方からボデー１とコードボックス１０を締結したことにより、コードボックス１０とボデー１を強固に締結することとなり堅牢な機器を実現することができる。
【００２０】
また、ボデー１の側面開口部１２の端部１５をボデー外面に対し一段内側に入れたことにより、ボデー１外面とコードボックス１０外面を同一面にすることができ美しい外観品位を得られることができる。
【００２１】
また、電源コード９をボデー１側面に対し略法線方向になるようコードボックス１０に取り付けることにより、使用者が電源コード９を引っぱる方向をボデー１開口部１２の上端部１３をコードボックス１０のリブ１１で挟持しコードボックス１０がボデー１から外れにくい方向に合わせることができコードボックス１０がボデー１から外れてしまうことを防ぐことができる。
【産業上の利用可能性】
【００２２】
以上のように、本発明にかかる自動製パン機は、コードボックスを備えたコンパクトな機器を実現することが可能となるので、他の機器、例えば、自動もち製造機や回転調理機器等の用途にも適用できる。
【図面の簡単な説明】
【００２３】
【図１】本発明の実施の形態における自動製パン機の断面図
【図２】本発明の実施の形態における自動製パン機の斜視図
【図３】従来の自動製パン機の断面図
【符号の説明】
【００２４】
１  ボデー
２  焼成庫
３  羽根
４  パンケース
５  シャーシ
６  モーター
８  大プーリー
９  電源コード
１０  コードボックス
１１  リブ
１２  開口部
１３  上端部
【図１】
2005103181.tif 000003
【図２】
2005103181.tif 000004
【図３】
2005103181.tif 000005